(57)【要約】【課題】発光デバイスの調光機能を備える発光デバイスの駆動装置及び照明装置を比較的安価な構成により提供する。【解決手段】入力電源と発光デバイスとの間に接続される発光デバイスの駆動装置であって、前記入力電源と前記発光デバイスとの間において互いに並列接続される、第１の電力変換部と第２の電力変換部とを備え、前記入力電源が前記発光デバイスの駆動装置から切断されてから第１の時間内に再接続されたとき、前記第１の電力変換部は動作状態であるとともに前記第２の電力変換部は停止状態であり、且つ、前記入力電源が前記発光デバイスの駆動装置から切断されてから前記第１の時間よりも長い第２の時間後に再接続されたとき、前記第１の電力変換部は動作状態であるとともに前記第２の電力変換部も動作状態であることを特徴とする発光デバイスの駆動装置。【選択図】図１
2015135755.tif 000002
【特許請求の範囲】
【請求項１】
入力電源と発光デバイスとの間に接続される発光デバイスの駆動装置であって、
前記入力電源と前記発光デバイスとの間において互いに並列接続される、第１の電力変換部と第２の電力変換部とを備え、
前記入力電源が前記発光デバイスの駆動装置から切断されてから第１の時間内に再接続されたとき、前記第１の電力変換部は動作状態であるとともに前記第２の電力変換部は停止状態であり、且つ、
前記入力電源が前記発光デバイスの駆動装置から切断されてから前記第１の時間よりも長い第２の時間後に再接続されたとき、前記第１の電力変換部は動作状態であるとともに前記第２の電力変換部も動作状態であることを特徴とする発光デバイスの駆動装置。
【請求項２】
請求項１に記載される発光デバイスの駆動装置と、前記発光デバイスの駆動装置に接続される発光デバイスとを備える照明装置。
【発明の詳細な説明】
【技術分野】
【０００１】
本発明は、発光デバイスの駆動装置及び照明装置に関し、特に発光デバイスの調光機能を備える発光デバイスの駆動装置及び照明装置に関する。
【背景技術】
【０００２】
主要な技術的先進国で照明用に使用される電気エネルギーは、各国における総発電量の約１５％に達すると言われ、地球環境問題の観点から電気エネルギーの削減が求められている。このような要求を背景に、従来の照明装置に用いられている白熱電球や蛍光灯よりも消費電力が少なく且つ寿命が長い光源としてＬＥＤ（Ｌｉｇｈｔ  Ｅｍｉｔｔｉｎｇ  Ｄｉｏｄｅ）及び有機ＥＬ（Ｅｌｅｃｔｒｏ−Ｌｕｍｉｎｅｓｃｅｎｃｅ）といった発光デバイスを発光負荷として備える照明装置が注目されている。
【０００３】
また、非特許文献１に記載されるように、スイッチをオフしてから所定時間内にオンさせることで発光デバイスを調光する機能を備える照明装置が知られている。
【先行技術文献】
【非特許文献】
【０００４】
【非特許文献１】三菱化学メディア株式会社  Ｖｅｒｂａｔｉｍカタログ（２０１２年１月）
【発明の開示】
【発明が解決しようとする課題】
【０００５】
図４は、従来の駆動装置及び照明装置の構成を示す構成図である。従来の照明装置１００は、駆動装置１０１と発光デバイス１０２とを備える。駆動装置１０１は、電力変換部１０３と入力電力検知部１０４と調光指令部１０５とを備える。照明装置１００は、手動操作されるスイッチ１０７を介して入力電源１０６と接続される。
【０００６】
スイッチ１０７がオン状態になると、入力電力が入力電源１０６から電力変換部１０３に供給される。入力電力検知部１０４は、スイッチ１０７のオンオフによる入力電源の接続及び切断を検知する。調光指令部１０５は、発光デバイス１０２の明るさを規定するための調光指令を電力変換部１０３に出力する。入力電力検知部１０４と調光指令部１０５とは、入力電源が切断されてから所定時間内（例えば２ｓｅｃ以内）に入力電源が再び接続された場合、調光指令値を切り替えて電力変換部１０３に出力する。電力変換部１０３は、調光指令に応じて、入力電力を所定の出力電力に変換して発光デバイス１０２に出力する。
【０００７】
従来の照明装置１００は、上述のような構成により、発光デバイス１０２の明るさを複数段階に切り替えて調光することができる。しかしながら、入力電力検知部１０４と調光指令部１０５とを設けるために、従来の照明装置１００並びに駆動装置１０１は高価な構成になってしまう。特に、複数の駆動装置を要する大型の照明装置や、駆動装置と発光デバイスとが離れて設定される大型の照明装置において、高価な構成になってしまう。
【０００８】
本発明は、発光デバイスの調光機能を備える発光デバイスの駆動装置及び照明装置を比較的安価な構成により提供する。
【課題を解決するための手段】
【０００９】
本発明の一態様によれば、入力電源と発光デバイスとの間に接続される発光デバイスの駆動装置であって、前記入力電源と前記発光デバイスとの間において互いに並列接続される、第１の電力変換部と第２の電力変換部とを備え、前記入力電源が前記発光デバイスの駆動装置から切断されてから第１の時間内に再接続されたとき、前記第１の電力変換部は動作状態であるとともに前記第２の電力変換部は停止状態であり、且つ、前記入力電源が前記発光デバイスの駆動装置から切断されてから前記第１の時間よりも長い第２の時間後に再接続されたとき、前記第１の電力変換部は動作状態であるとともに前記第２の電力変換部も動作状態であることを特徴とする発光デバイスの駆動装置である。
【発明の効果】
【００１０】
本発明によれば、発光デバイスの調光機能を備える発光デバイスの駆動装置及び照明装置を比較的安価な構成により提供できる。
【図面の簡単な説明】
【００１１】
【図１】本発明の実施形態に係る駆動装置及び照明装置の構成を示す構成図である。
【図２】本発明の実施形態に係る駆動装置及び照明装置の構成を示す構成図である。
【図３】本発明の実施形態に係る駆動装置の動作を示すタイミングチャートである。
【図４】従来の駆動装置及び照明装置の構成を示す構成図である。
【発明を実施するための形態】
【００１２】
次に、図面を参照して、本発明の実施形態を説明する。以下の図面の記載において、同一又は類似の部分には同一又は類似の符号を付している。ただし、図面は模式的なものであることに留意すべきである。又、以下に示す実施形態は、この発明の技術的思想を具体化するための装置や方法を例示するものであって、この発明の実施形態は、構成部品の構造、配置等を下記のものに特定するものでない。この発明の実施形態は、特許請求の範囲において、種々の変更を加えることができる。
【００１３】
図１及び２は、本発明の実施形態に係る発光デバイスの駆動装置及び照明装置の構成を示す構成図である。本実施形態に係る駆動装置１は、入力電源５と発光デバイス２との間に接続される発光デバイスの駆動装置１であって、前記入力電源５と前記発光デバイス２との間において互いに並列接続される、第１の電力変換部３と第２の電力変換部４とを備え、前記入力電源５が前記発光デバイスの駆動装置１から切断されてから第１の時間内に再接続されたとき、前記第１の電力変換部３は動作状態であるとともに前記第２の電力変換部４は停止状態であり、且つ、前記入力電源５が前記発光デバイスの駆動装置１から切断されてから前記第１の時間よりも長い第２の時間後に再接続されたとき、前記第１の電力変換部３は動作状態であるとともに前記第２の電力変換部４も動作状態である。
【００１４】
照明装置１０は、駆動装置１と発光デバイス２とを備える。駆動装置１は、入力電源５と発光デバイス２との間に接続される。駆動装置１は、手動操作されるスイッチ６を介して入力電源５と接続される。駆動装置１は、入力電源５から供給される入力電力を所定の出力電力に変換し、発光デバイス２に出力する。駆動装置１は、入力電源５と発光デバイス２との間において互いに並列接続される、第１の電力変換部３と第２の電力変換部４とを備える。第１の電力変換部３と第２の電力変換部４との各々は、周知のスイッチング電力変換器であり、入力電源５から供給される入力電力を所定の出力電力に変換し、発光デバイス２に出力する。
【００１５】
発光デバイス２は、駆動装置１から供給される出力電力により発光する、少なくとも１つの発光素子を備える。発光素子は、例えばＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）からなる。本実施形態に係る発光デバイス２は、駆動装置１に互いに並列接続され、それぞれ複数のＬＥＤが直列接続されてなる第１のＬＥＤストリング２１と第２のＬＥＤストリング２２とを備える。第１のＬＥＤストリング２１は、第１の電力変換部３に接続され、第１の電力変換部３から供給される出力電力により白色光を出力する。第２のＬＥＤストリング２２は、第２の電力変換部４に接続され、第２の電力変換部４から供給される出力電力により白色光を出力する。
【００１６】
第１の電力変換部３と第２の電力変換部４との各々は、自身の電力供給能力が低下すると電力変換動作を停止する機能を備える。詳細には、第１の電力変換部３から第１のＬＥＤストリング２１に供給される出力電流値が基準値を下回る状況が継続すると、出力電流値が基準値を下回ったことを検出してから第１の保護時間（例えば３ｓｅｃ）が経過した後に、第１の電力変換部３を構成するスイッチング素子の動作が停止される。この機能は、負荷が電力変換部の電力供給能力を上回る状態が継続するときに電力変換部を保護する機能であり、過負荷保護機能と呼ばれる。
【００１７】
第２の電力変換部４は、第１の電力変換部３と同様の過負荷保護機能を備えるが、検出から電力変換停止までの時間が第１の保護時間よりも短い第２の保護時間（例えば４０ｎｓｅｃ）に設定される。
【００１８】
図３は、本発明の実施形態に係る駆動装置１の動作を示すタイミングチャートである。波形Ｉｏｕｔ（Ａ）は、第１の電力変換部３から第１のＬＥＤストリング２１に供給される出力電流を示す。波形ＯＬＰ１は、第１の電力変換部３の過負荷保護機能の有効（Ｈレベル）及び無効（Ｌレベル）を示す。波形ＯＬＰ２は、第２の電力変換部４の過負荷保護機能の有効（Ｈレベル）及び無効（Ｌレベル）を示す。
【００１９】
時刻ｔ０において、スイッチ６が操作され、入力電源５が駆動装置１から切断されると、同時に第１の電力変換部３及び第２の電力変換部４の電力供給能力が低下し、出力電流Ｉｏｕｔが低下し始める。
【００２０】
時刻ｔ１において、出力電流Ｉｏｕｔが基準値を下回り、第１の電力変換部３及び第２の電力変換部４の過負荷が検出される。その後、時刻ｔ２においても電力変換部の過負荷状態は解消されず、第２の電力変換部４の過負荷保護機能が有効になり、第２の電力変換部４は動作停止する。
【００２１】
時刻ｔ０から第１の時間Ｔ１（例えば１ｓｅｃ）が経過した時刻ｔ３において、スイッチ６が操作され、入力電源５が駆動装置１に再接続されると、同時に第１の電力変換部３及び第２の電力変換部４の出力電流Ｉｏｕｔが増大し始める。第１の時間Ｔ１は、第１の保護時間よりも短く第２の保護時間よりも長い。このとき、第１の電力変換部３は動作状態であり、第２の電力変換部４は過負荷保護機能により停止状態である。第２のＬＥＤストリング２２は消灯するため、時刻ｔ３における発光デバイス２の明るさは時刻ｔ０における発光デバイス２の明るさよりも暗くなる。
【００２２】
時刻ｔ３以降、第１の電力変換部３及び第２の電力変換部４の電力供給能力が、入力電源５の切断前と同等になっても、第２の電力変換部４の過負荷保護機能の有効状態は保持される。
【００２３】
なお、図３の破線で示すように、時刻ｔ０から第２の時間Ｔ２（例えば４ｓｅｃ）が経過した時刻ｔ４まで入力電源５の切断状態が継続されると、第１の電力変換部３及び第２の電力変換部４の制御電源が消失する。第２の時間Ｔ２は、第１の保護時間よりも長い。このとき、過負荷保護機能の有効状態が保持できなくなり、第１の電力変換部３及び第２の電力変換部４はリセットされる。そのため、時刻ｔ０から第２の時間Ｔ２が経過した後に入力電源５が再接続されると、第１の電力変換部３及び第２の電力変換部４は、ともに再起動され動作状態となり、発光デバイス２の明るさは時刻ｔ０における発光デバイス２の明るさと同等になる。
【００２４】
以上のように、本実施形態において、入力電源５が駆動装置１から切断され再接続されるまでの時間に応じて第２の電力変換部４の動作／停止が切り替えられることで、発光デバイス２の調光が実現される。従って、入力電力検知部及び調光指令部を用いることなく、調光機能を備える発光デバイスの駆動装置及び照明装置を比較的安価な構成により提供できる。
【００２５】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。即ち、本発明はここでは記載していない様々な実施形態等を含むことは勿論である。従って、本発明の技術的範囲は上記の説明から妥当な特許請求の範囲に係る発明特定事項によってのみ定められるものである。例えば、過負荷保護機能を有効にする条件として、出力電流に限らず、入力電圧やスイッチング素子を流れる電流が代用できる。また、駆動装置１は、入力電源５と発光デバイス２との間において互いに並列接続される、３以上の電力変換部から構成されても良い。
【符号の説明】
【００２６】
１        駆動装置
２        発光デバイス
３        第１の電力変換部
４        第２の電力変換部
５        入力電源
６        スイッチ
１０      照明装置
【図１】
2015135755.tif 000003
【図２】
2015135755.tif 000004
【図３】
2015135755.tif 000005
【図４】
2015135755.tif 000006